(57)【特許請求の範囲】
【請求項１】
下記の一般式（１ａ）で表されるユニット及び一般式（４ａ）で表されるユニットからなり、一般式（４ａ）で表されるユニットに対する一般式（１ａ）で表されるユニットのモル比が１〜２であるβグルカンの一部の水酸基の水素原子が一般式（５）で表される基で置換されていることを特徴とするカチオン化βグルカン：
一般式（１ａ）
【化１】
0005896799.tif 000109
一般式（４ａ）
【化２】
0005896799.tif 000110
一般式（５）
【化３】
0005896799.tif 000111
（式中、Ｒ１５〜Ｒ１７は、炭素数１〜３のアルキル基を表し、Ｒ１８は、炭素数１〜６のアルキレン基又は炭素数２〜６のヒドロキシアルキレン基を表し、Ｘは、ハロゲン原子を表す。）
【請求項２】
カチオン化度が０．１〜２である、請求項１に記載のカチオン化βグルカン。
【請求項３】
請求項１または２に記載のカチオン化βグルカンを含有する化粧料組成物。
【請求項４】
界面活性剤、キレート剤、低分子ポリオール、植物由来エキス、亜鉛化合物、増粘剤、油剤、色素、顔料、抗菌剤、保湿剤、ｐＨ調整剤、酸化防止剤、紫外線吸収剤、保湿成分及び香料からなる群から選択される１種又は２種以上の成分を含有する、請求項３記載の化粧料組成物。
【発明の詳細な説明】
【技術分野】
【０００１】
本発明は、化粧料等に配合することで優れた効果を発揮するカチオン化βグルカン及び該カチオン化βグルカンを含有する化粧料組成物に関する。
【背景技術】
【０００２】
カチオン化された高分子（カチオンポリマー）は、化粧料、紙、廃液処理、塗料、染料、樹脂添加剤等、様々な用途に利用されている。これらの用途の中でも化粧料に関しては、皮膚や髪に直接触れるこため、安全性の高い高分子が使用される場合が多い。こうした高分子の中でも、天然高分子から誘導されるカチオンポリマーは、特に安全性が高いポリマーとして知られている。
【０００３】
天然高分子から誘導されるカチオンポリマーとしては、例えば、カチオン化セルロース、カチオン化デンプン、カチオン化プルラン、カチオン化グアガム等が知られており、化粧料の増粘性や分散安定性、保形性の為に幅広く利用されており、特に、シャンプー、リンス、ボディーソープ、洗顔剤など、身体や毛髪の洗浄を目的とする組成物では、すすいだ時に毛髪や皮膚に付着することでコンディショニング効果を発揮する。
【０００４】
例えば、特許文献１には、シリコーンとエチレングリコールの飽和脂肪酸エステルとキサンタンガムとカチオン化ポリマーを含有することを特徴とする、洗浄用の化粧料が開示されている。また、特許文献２には、特定の両性高分子と、ポリ塩化ジメチルメチレンピペリジニウム、カチオン化セルロース、カチオン化グアガム、ジアリル４級アンモニウム塩／アクリルアミド共重合体のようなカチオン性高分子を含むことを特徴とする洗浄剤組成物が開示されている。更に、特許文献３には、特定のＮ−アシルアスパラギン酸またはその塩を主成分とするＮ−アシルアスパラギン酸系界面活性剤、及びカチオン化セルロース、カチオン化グアガム、カチオン化デキストラン、カチオン化加水分解たん白、カチオン化ビニル、カチオン系界面活性剤のようなカチオン性ポリマーを含有することを特徴とする洗浄剤組成物が開示されている。また、特許文献４には、（Ａ）第四級アンモニウム基含有基を有し、かつ、カチオン化度が０．１５〜０．６であるカチオン化ヒアルロン酸および／またはその塩；（Ｂ）両性界面活性剤；及び（Ｃ）アニオン性界面活性剤を含有し、かつ、成分（Ｂ）の含有量が全体量に対して１〜５％である、毛髪洗浄剤組成物が開示されている。更に、特許文献５には、（Ａ）ポリオキシエチレンアルキルエーテル硫酸塩、（Ｂ）カチオン化セルロースを含有する水性液体洗浄剤組成物が開示されている。
【先行技術文献】
【特許文献】
【０００５】
【特許文献１】特開平１１−２２８３８３号公報
【特許文献２】特開２００１−０６４６７８号公報
【特許文献３】特開２００５−３０７０１９号公報
【特許文献４】特開２０１０−０３７２２８号公報
【特許文献５】特開２００５−１６２６６６号公報
【発明の概要】
【発明が解決しようとする課題】
【０００６】
しかしながら、カチオン化セルロース等の、天然高分子から誘導されるカチオンポリマーは、ジメチルジアリルアンモニウムクロライドのホモポリマーや、ジメチルジアリルアンモニウムクロライドとアクリルアミドとのコポリマー等の合成カチオンポリマーと比較して、上記のコンディショニング効果等に劣るという欠点を有している。この欠点は、カチオンポリマーの添加量を増やしても改善するものではなく、合成カチオンポリマーと同等の性能を持つ天然高分子から誘導されるカチオンポリマーが望まれていた。
【０００７】
従って、本発明が解決しようとする課題は、天然高分子から誘導され、従来のカチオン化ポリマーよりコンディショニング効果、保湿効果、増粘性、被膜性が高いカチオンポリマーであるカチオン化βグルカン並びに該カチオン化βグルカンと特定の化粧料材料とを併用した化粧料組成物を提供することにある。
【課題を解決するための手段】
【０００８】
そこで本発明者等は鋭意検討し、特定構造を有するカチオン化βグルカンが、毛髪や皮膚に対する高いコンディショニング効果を有することを見出し、本発明に至った。
即ち、本発明は、下記の一般式（１ａ）で表されるユニット及び一般式（４ａ）で表されるユニットからなり、一般式（４ａ）で表されるユニットに対する一般式（１ａ）で表されるユニットのモル比が１〜２であるβグルカンの一部の水酸基の水素原子が一般式（５）で表される基で置換されていることを特徴とするカチオン化βグルカンである：
一般式（１ａ）
【化１】
0005896799.tif 000002
一般式（４ａ）
【化２】
0005896799.tif 000003
一般式（５）
【化３】
0005896799.tif 000004
（式中、Ｒ１５〜Ｒ１７は、炭素数１〜３のアルキル基を表し、Ｒ１８は、炭素数１〜６のアルキレン基又は炭素数２〜６のヒドロキシアルキレン基を表し、Ｘは、ハロゲン原子を表す。）
【発明の効果】
【０００９】
本発明の効果は、極めて高いコンディショニング効果及び抗菌性を有する、安全性の高い天然高分子から誘導されるカチオン化βグルカン及び該カチオン化βグルカンを含有する化粧料組成物を提供したことにある。
【図面の簡単な説明】
【００１０】
【図１】健常毛の静電気発生試験の結果を示す写真
【図２】ダメージ毛の静電気発生試験の結果を示す写真
【図３】実施例１のカチオン化βグルカン１で処理した毛髪の静電気発生試験の結果を示す写真
【図４】比較例２のカチオン化セルロースで処理した毛髪の静電気発生試験の結果を示す写真
【図５】比較例３のカチオン化グアガムで処理した毛髪の静電気発生試験の結果を示す写真
【図６】比較例４のβグルカンで処理した毛髪の静電気発生試験の結果を示す写真
【発明を実施するための形態】
【００１１】
グルカンは、Ｄ−グルコースから構成される多糖類の総称であり、グルコース残基の立体配置により、α−アノマー構造をとるαグルカンとβ−アノマー構造をとるβグルカンに分けられる。本発明において、カチオン化βグルカンとは、βグルカンの一部の水酸基の水素原子をカチオン性基で置換した化合物をいう。
本発明のカチオン化βグルカンは、下記の一般式（１）〜（４）で表されるユニットのいずれか１つ以上含有することを特徴とするカチオン化βグルカンである：
一般式（１）
【化６】
0005896799.tif 000005
［式中、Ｒ１〜Ｒ３は、水素原子又は下記の一般式（５）で表される基を表す。ただし、Ｒ１〜Ｒ３のいずれか少なくとも１つは下記の一般式（５）で表される基でなければならない。］
一般式（２）
【化７】
0005896799.tif 000006
［式中、Ｒ４〜Ｒ６は、水素原子又は下記の一般式（５）で表される基を表す。ただし、Ｒ４〜Ｒ６のいずれか少なくとも１つは下記の一般式（５）で表される基でなければならない。］
一般式（３）
【化８】
0005896799.tif 000007
［式中、Ｒ７及びＲ８は、水素原子又は下記の一般式（５）で表される基を表す。ただし、Ｒ７及びＲ８のいずれか少なくとも１つは下記の一般式（５）で表される基でなければならない。］
一般式（４）
【化９】
0005896799.tif 000008
［式中、Ｒ９〜Ｒ１４は、水素原子又は下記の一般式（５）で表される基を表す。ただし、Ｒ９〜Ｒ１４のいずれか少なくとも１つは下記の一般式（５）で表される基でなければならない。］
一般式（５）
【化１０】
0005896799.tif 000009
（式中、Ｒ１５〜Ｒ１７は、炭素数１〜３のアルキル基を表し、Ｒ１８は、炭素数１〜６のアルキレン基又は炭素数２〜６のヒドロキシアルキレン基を表し、Ｘは、ハロゲン原子を表す。）
【００１２】
一般式（１）のＲ１〜Ｒ３、一般式（２）のＲ４〜Ｒ６及び一般式（３）のＲ７及びＲ８並びに一般式（４）のＲ９〜Ｒ１４は、水素原子又は一般式（５）で表される基を表す。一般式（５）で表される基はどの位置であってもよいが、カチオン性基への置換反応が容易に進むことから、グルコース単位の６位、即ち、一般式（１）の場合はＲ１、一般式（４）の場合はＲ９が一般式（５）で表される基であることが好ましい。なお、本発明のカチオン化βグルカンは、前記一般式（１）〜（４）で表されるユニットのいずれか１つ以上含有することから、一般式（５）で表される基を、少なくとも１つ有していることになる。
【００１３】
一般式（５）のＲ１８は、炭素数１〜６のアルキレン基又は炭素数２〜６のヒドロキシアルキレン基を表す。炭素数１〜６のアルキレン基としては、例えば、メチレン基、エチレン基、プロピレン基、イソプロピレン基、ブチレン基、イソブチレン基、ターシャリブチレン基、ペンチレン基、へキシレン基等が挙げられる。また、炭素数２〜６のヒドロキシアルキレン基としては、１−ヒドロキシエチレン基、２−ヒドロキシエチレン基、１−ヒドロキシプロピレン基、２−ヒドロキシプロピレン基、３−ヒドロキシプロピレン基、ヒドロキシブチレン基、ヒドロキシペンチレン基、ヒドロキシへキシレン基等が挙げられる。これらの基の中でも、Ｒ１８としては、原料の入手が容易であり製造も容易にできることから、炭素数２〜６のヒドロキシアルキレン基が好ましく、ヒドロキシプロピレン基がより好ましく、２−ヒドロキシプロピレン基が更に好ましい。
【００１４】
一般式（５）のＲ１５〜Ｒ１７は、それぞれ独立して炭素数１〜３のアルキル基を表す。こうしたアルキル基としては、例えば、メチル基、エチル基、プロピル基、イソプロピル基等が挙げられる。これらの中でも、化粧料として使用したときのコンディショニング効果が高いことから、メチル基、エチル基が好ましく、メチル基がより好ましい。
【００１５】
一般式（５）のＸは、ハロゲン原子を表し、Ｘ−でカチオンの対イオンとして働く。ハロゲン原子としては、例えば、フッ素原子、塩素原子、臭素原子、ヨウ素原子が挙げられる。これらの中でも、製造原料として入手が容易であることから、塩素原子、臭素原子が好ましく、塩素原子がより好ましい。
【００１６】
本発明のカチオン化βグルカンにおいて、一般式（１）〜（４）で表されるユニットは、それぞれ、βグルカンの下記の一般式（１ａ）〜（４ａ）で表されるユニットに対応し、それぞれ、一般式（１ａ）〜（４ａ）で表されるユニットの水酸基の水素原子の一部又は全部が一般式（５）で表される基で置換したものである。
【００１７】
一般式（１ａ）
【化１１】
0005896799.tif 000010
一般式（２ａ）
【化１２】
0005896799.tif 000011
一般式（３ａ）
【化１３】
0005896799.tif 000012
一般式（４ａ）
【化１４】
0005896799.tif 000013
【００１８】
本発明のカチオン化βグルカンのカチオン化度は、０．１〜２．０であることが好ましい。本発明のカチオン化βグルカンのカチオン化度が０．１未満になると、化粧料組成物等に配合したときに十分なコンディショニング効果が得られない場合があり、２．０を超える場合には、カチオン化反応に長い製造時間と大量のカチオン化剤を要し製造が困難であり、高いカチオン化度にみあうコンデショニング性能の向上が得られない。本発明のβグルカンのカチオン化度は、０．１５〜１．５であることが更に好ましく、０．２〜１．０が最も好ましい。なお、本発明において、カチオン化度とは単糖ユニットあたりのカチオン性基の数の平均値を表わしており、本発明のカチオン化βグルカンの場合、カチオン化度の上限は３．０である。
【００１９】
本発明のカチオン化βグルカンは、βグルカンをカチオン化剤でカチオン化する方法、βグルカンにカチオン化したグルコースを付加する方法、カチオン化したグルコースを重合する方法等により製造することができるが、製造が容易であることから、βグルカンをカチオン化剤でカチオン化する方法により製造することが好ましい。
【００２０】
本発明のカチオン化βグルカンを、βグルカンをカチオン化剤でカチオン化する方法により製造する場合の、βグルカンとしては、前記一般式（１ａ）〜（４ａ）で表されるユニット以外のグルコースユニットを含んでいてもよいが、分子末端以外が、前記一般式（１ａ）〜（４ａ）で表されるユニットからなる群から選ばれる少なくとも１種のユニットからなるβグルカンが好ましい。このようなβグルカンとしては、穀物由来のβグルカン、微生物類由来のβグルカン、担子菌類由来のβグルカン等が知られており、βグルカンを含有する穀物、微生物類あるいは担子菌類等から抽出すればよい。βグルカンの抽出方法は特に制限はなく、抽出原料となる穀物、微生物類あるいは担子菌類に、抽出溶媒を添加し抽出すればよい。抽出溶媒は、水、塩溶液、酸水溶液、アルカリ水溶液、有機性溶媒等の１種または２種以上の混合溶媒等を用いることができる。また、細胞壁を分解する酵素を併用することで抽出効率を高めることもできる。抽出物は、固液分離された場合の抽出液そのもの、あるいは抽出液より公知の方法で抽出されたβグルカンを濃縮した液体や固体状のもの、あるいは抽出液より公知の方法で精製し純度を上げた液体や固体状のもの等、いずれの製造方法で得たものでも、いずれの形態のものでも、いずれの純度のものでも使用可能であり、βグルカン以外の抽出された成分が混合しているものを使用することも可能である。
【００２１】
これらのβグルカンの中でも、水溶性が高くカチオン化が容易であり、毛髪や皮膚に対する高いコンディショニング効果と、抗菌性を有するカチオン化βグルカンが得られることから、前記一般式（１ａ）で表されるユニット及び（４ａ）で表されるユニットからなるβグルカンが好ましく、一般式（４ａ）で表されるユニットに対する（１ａ）で表されるユニットのモル比は、１〜２であることが好ましく、１．２〜１．４であることが更に好ましい。一般式（１ａ）で表されるユニットのみからユニットからなるβグルカンをβ−１，３−グルカン、一般式（１ａ）で表されるユニット及び（４ａ）で表されるユニットからなるβグルカンをβ−１，３−１，６−グルカンと呼ぶ場合がある。β−１，３−１，６−グルカンは、例えば、黒酵母（アウレオバシジウム属）から得ることができる。なお、本発明では、前記一般式（１ａ）で表されるユニット及び（４ａ）で表されるユニットからなるβグルカンの、一部の水酸基の水素原子が一般式（５）で表される基で置換されたカチオン化βグルカンを、カチオン化β−１，３−１，６−グルカンと呼ぶ場合がある。
【００２２】
本発明のカチオン化βグルカンを、βグルカンをカチオン化剤でカチオン化する方法により製造する場合の、カチオン化剤としては、その分子内に、カチオン性基と、βグルカンの水酸基と反応可能な基との２つの基を持ち、反応後に一般式（５）で表される基になるものであれば、種類を選ばないが、安価に入手できることから下記の一般式（６）または（７）で表されるカチオン化剤が好ましい：
【００２３】
【化１５】
0005896799.tif 000014
［式中、Ｒ１９は、炭素数１〜４のアルキレン基を表し、Ｒ１５〜Ｒ１７及びＸは、一般式（５）と同義である。］
【００２４】
一般式（６）のＲ１９は、炭素数１〜４のアルキレン基を表す。こうしたアルキレン基としては、例えば、メチレン基、エチレン基、プロピレン基、ブチレン基、イソプロピレン基、イソブチレン基等が挙げられる。これらの中でも原料が入手しやすいことからメチレン基が好ましい。また、一般式（６）のＲ１５〜Ｒ１７及びＸは、一般式（５）と同義である。
【００２５】
【化１６】
0005896799.tif 000015
［式中、Ｙはハロゲン原子を表し、Ｒ１５〜Ｒ１８及びＸは、一般式（５）と同義である。］
【００２６】
一般式（７）のＹは、ハロゲン原子を表す。ハロゲン原子としては、例えば、フッ素原子、塩素原子、臭素原子、ヨウ素原子が挙げられる。これらの中でも、製造原料として入手が容易であることから、塩素原子、臭素原子が好ましく、塩素原子がより好ましい。また、一般式（７）のＲ１５〜Ｒ１８及びＸは、一般式（５）と同義である。
【００２７】
上述の一般式（６）で表されるカチオン化剤は、βグルカンの水酸基と反応する反応基としてエポキシ基を有している。一方、一般式（７）で表されるカチオン化剤はＹで表されるハロゲン原子がβグルカンの水酸基と反応する。いずれのカチオン化剤でもカチオン化は可能であるが、一般式（７）で表されるカチオン化剤はＹを含む化合物が不純物として生成するため、不純物の生成が少ない一般式（６）で表されるカチオン化剤が好ましい。
【００２８】
カチオン化剤を使用したカチオン化反応は公知の方法で行えばよく、例えば、一般式（６）で表されるカチオン化剤を使用した場合であれば、水、カチオン化剤、βグルカンを混ぜ、触媒として水酸化ナトリウムや水酸化カリウム等のアルカリ触媒を添加して混合することでカチオン化反応が進む。反応を促進させるため、メタノール、エタノール、イソプロパノール、アセトン、アセトニトリル等の水溶性溶剤を添加してもよい。水溶性溶媒を使用する場合、水との割合は特に指定されないが、反応を促進させる効果が高いことから、水／水溶性溶媒＝１／９〜９／１が好ましく、水／水溶性溶媒＝２／８〜７／３がより好ましい。使用するカチオン化剤の量は、目的とするカチオン化βグルカンのカチオン化度によって適宜設定すればよい。
【００２９】
本発明のカチオン化βグルカンの形態は特に限定されず、溶媒に水、水溶性有機溶媒、水及び水溶性有機溶媒を使用した液状、あるいは溶媒を除去した固体状のいずれでもよい。固体状のいずれでもよく、固体状のものを得るには液状のカチオン化βグルカンの溶媒を除去すればよい。純度を更に高めるために、液状のカチオン化βグルカンを透析等により精製を行うことが好ましい。液状の場合は、本発明のカチオン化βグルカンが０．０１〜５０質量％、好ましくは０．１〜３０質量％になるように濃度調整すればよい。
【００３０】
次に、本発明のカチオン化βグルカンを含有する化粧料組成物について説明する。なお、本発明では、本発明のカチオン化βグルカンを含有する化粧料組成物を本発明の化粧料組成物という場合がある。本発明の化粧料組成物における、本発明のカチオン化βグルカンの配合量は、本発明の化粧料組成物が使用される種類や用途により異なり、特に限定されないが、あまりに少ない場合には所望の効果が得られず、あまりに多い場合には、粘度が高くなりすぎて使用することが困難な場合があることから、化粧料組成物全量に対して、０．００１〜２０質量％が好ましく、０．０５〜５質量％が更に好ましく、０．０１〜１質量％が最も好ましい。
【００３１】
本発明の化粧料組成物の、本発明のカチオン化βグルカン以外の成分としては、例えば、界面活性剤、キレート剤、低分子ポリオール、植物由来エキス、亜鉛化合物、増粘剤、油剤、色素、顔料、抗菌剤、保湿剤、ｐＨ調整剤、酸化防止剤、紫外線吸収剤、保湿成分、酵素、香料等が挙げられる。
【００３２】
界面活性剤としては、アニオン界面活性剤、ノニオン界面活性剤、カチオン界面活性剤及び両性界面活性剤が挙げられ、アニオン界面活性剤としては、例えば、高級脂肪酸塩、高級アルコール硫酸エステル塩、硫酸化オレフィン塩、高級アルキルスルホン酸塩、α−オレフィンスルホン酸塩、硫酸化脂肪酸塩、スルホン化脂肪酸塩、リン酸エステル塩、脂肪酸エステルの硫酸エステル塩、グリセライド硫酸エステル塩、脂肪酸エステルのスルホン酸塩、α−スルホ脂肪酸メチルエステル塩、ポリオキシアルキレンアルキルエーテル硫酸エステル塩、ポリオキシアルキレンアルキルフェニルエーテル硫酸エステル塩、ポリオキシアルキレンアルキルエーテルカルボン酸塩、アシル化ペプチド、脂肪酸アルカノールアミド又はそのアルキレンオキサイド付加物の硫酸エステル塩、スルホコハク酸エステル、アルキルベンゼンスルホン酸塩、アルキルナフタレンスルホン酸塩、アルキルベンゾイミダゾールスルホン酸塩、ポリオキシアルキレンスルホコハク酸塩、Ｎ−アシル−Ｎ−メチルタウリンの塩、Ｎ−アシルグルタミン酸又はその塩、アシルオキシエタンスルホン酸塩、アルコキシエタンスルホン酸塩、Ｎ−アシル−β−アラニン又はその塩、Ｎ−アシル−Ｎ−カルボキシエチルタウリン又はその塩、Ｎ−アシル−Ｎ−カルボキシメチルグリシン又はその塩、アシル乳酸塩、Ｎ−アシルサルコシン塩、及びアルキル又はアルケニルアミノカルボキシメチル硫酸塩等が挙げられる。
【００３３】
ノニオン界面活性剤としては、例えば、ポリオキシアルキレンアルキルエーテル、ポリオキシアルキレンアルケニルエーテル、ポリオキシエチレンポリオキシプロピレンアルキルエーテル（エチレンオキサイドとプロピレンオキサイドの付加形態は、ランダム状、ブロック状の何れでもよい。）、ポリエチレングリコールプロピレンオキサイド付加物、ポリプロピレングリコールエチレンオキサイド付加物、グリセリン脂肪酸エステル又はそのエチレンオキサイド付加物、ソルビタン脂肪酸エステル、ポリオキシエチレンソルビタン脂肪酸エステル、アルキルポリグルコシド、脂肪酸モノエタノールアミド又はそのエチレンオキサイド付加物、脂肪酸−Ｎ−メチルモノエタノールアミド又はそのエチレンオキサイド付加物、脂肪酸ジエタノールアミド又はそのエチレンオキサイド付加物、ショ糖脂肪酸エステル、アルキル（ポリ）グリセリンエーテル、ポリグリセリン脂肪酸エステル、ポリエチレングリコール脂肪酸エステル、脂肪酸メチルエステルエトキシレート、Ｎ−長鎖アルキルジメチルアミンオキサイド等が挙げられる。
【００３４】
カチオン界面活性剤としては、例えば、アルキル（アルケニル）トリメチルアンモニウム塩、ジアルキル（アルケニル）ジメチルアンモニウム塩、アルキル（アルケニル）四級アンモニウム塩、エーテル基或いはエステル基或いはアミド基を含有するモノ或いはジアルキル（アルケニル）四級アンモニウム塩、アルキル（アルケニル）ピリジニウム塩、アルキル（アルケニル）ジメチルベンジルアンモニウム塩、アルキル（アルケニル）イソキノリニウム塩、ジアルキル（アルケニル）モルホニウム塩、ポリオキシエチレンアルキル（アルケニル）アミン、アルキル（アルケニル）アミン塩、ポリアミン脂肪酸誘導体、アミルアルコール脂肪酸誘導体、塩化ベンザルコニウム、塩化ベンゼトニウム等が挙げられる。
【００３５】
両性界面活性剤としては、例えば、カルボキシベタイン、スルホベタイン、ホスホベタイン、アミドアミノ酸、イミダゾリニウムベタイン系界面活性剤等が挙げられる。
【００３６】
上記界面活性剤は上記の１種又は２種以上を配合してもよい。その配合量は特に限定されず、化粧料組成物の種類によって異なるが、概ね化粧料組成物全量に対して０．０１〜８０質量％が好ましく、０．０５〜６０質量％がより好ましい。
【００３７】
キレート剤としては、例えば、アミノポリカルボン酸系キレート剤、芳香族又は脂肪族カルボン酸系キレート剤、アミノ酸系キレート剤、エーテルポリカルボン酸系キレート剤、ホスホン酸系キレート剤、リン酸キレート剤、ヒドロキシカルボン酸系キレート剤、高分子電解質（オリゴマー電解質を含む）系キレート剤、ジメチルグリオキシム、アスコルビン酸、チオグリコール酸、フィチン酸、グリオキシル酸、グリオキサール酸等が挙げられる。これらのキレート剤は、それぞれフリーの酸型であっても、ナトリウム塩、カリウム塩、アンモニウム塩等の塩の形であってもよい。さらに、それらは、加水分解可能なそれらのエステル誘導体の形であってもよい。
【００３８】
アミノポリカルボン酸系キレート剤としては、例えば、エチレンジアミンテトラ酢酸、エチレンジアミンジ酢酸、シクロヘキサンジアミンテトラ酢酸、ニトリロトリ酢酸、イミノジ酢酸、Ｎ−（２−ヒドロキシエチル）イミノジ酢酸、ジエチレントリアミンペンタ酢酸、Ｎ−（２−ヒドロキシエチル）エチレンジアミントリ酢酸、グリコールエーテルジアミンテトラ酢酸、グルタミン酸ジ酢酸、アスパラギン酸ジ酢酸及びこれらの塩類が挙げられる。
【００３９】
芳香族又は脂肪族カルボン酸系キレート剤としては、例えば、シュウ酸、マロン酸、コハク酸、グルタル酸、アジピン酸、ピメリン酸、セバシン酸、アゼライン酸、イタコン酸、アコニット酸、ピルビン酸、サリチル酸、アセチルサリチル酸、ヒドロキシ安息香酸、アミノ安息香酸（アントラニル酸を含む）、フタル酸、フマル酸、トリメリット酸、没食子酸、ヘキサヒドロフタル酸及びこれらの塩類、メチルエステル類及びエチルエステル類が挙げられる。
【００４０】
アミノ酸系キレート剤としては、例えば、グリシン、セリン、アラニン、リジン、シスチン、システイン、エチオニン、チロシン、メチオニン及びこれらの塩類及び誘導体が挙げられる。
【００４１】
ホスホン酸系キレート剤としては、例えば、イミノジメチルホスホン酸、アルキルジホスホン酸、１−ヒドロキシエタン−１，１−ジホスホン酸及びこれらの塩類が挙げられる。
【００４２】
リン酸系キレート剤としては、例えば、オルトリン酸、ピロリン酸、トリリン酸及びポリリン酸が挙げられる。
【００４３】
ヒドロキシカルボン酸系キレート剤としては、例えば、リンゴ酸、クエン酸、グリコール酸、グルコン酸、ヘプトン酸、酒石酸、乳酸及びこれらの塩類が挙げられる。
【００４４】
高分子電解質（オリゴマー電解質を含む）系キレート剤としては、例えば、アクリル酸重合体、無水マレイン酸重合体、α−ヒドロキシアクリル酸重合体、イタコン酸重合体、これらの重合体の構成モノマー２種以上からなる共重合体及びエポキシコハク酸重合体が挙げられる。
【００４５】
これらのキレート剤の中でも、安全性が高く、キレート効果が大きいことから、エチレンジアミンテトラ酢酸、エチレンジアミンジ酢酸、ニトリロトリ酢酸、イミノジ酢酸、Ｎ−（２−ヒドロキシエチル）イミノジ酢酸、アスパラギン酸ジ酢酸、コハク酸、サリチル酸、シュウ酸、乳酸、フマル酸、クエン酸、酒石酸、１−ヒドロキシエタン−１，１−ジホスホン酸及びこれらの塩が好ましい。
【００４６】
キレート剤は上記の１種又は２種以上を配合してもよい。その配合量は特に限定されず、化粧料組成物の種類によって異なるが、概ね化粧料組成物全量に対して０．０１〜３０質量％が好ましく、０．０５〜２０質量％がより好ましい。
【００４７】
低分子ポリオールとは分子量５０〜１０００、好ましくは分子量５０〜５００のポリオールであり、例えば、エチレングリコール、ジエチレングリコール、トリエチレングリコール、テトラエチレングリコール、プロピレングリコール、ジプロピレングリコール、トリプロピレングリコール、１，３−プロパンジオール、１，２−ブタンジオール、１，３−ブタンジオール、１，４−ブタンジオール、２，３−ブタンジオール、２−メチル−１，２−プロパンジオール、２−メチル−１，３−プロパンジオール、１，２−ペンタンジオール、１，３−ペンタンジオール、１，４−ペンタンジオール、１，５−ペンタンジオール、２，３−ペンタンジオール、２，４−ペンタンジオール、２−メチル−１，２−ブタンジオール、２−メチル−２，３−ブタンジオール、２−メチル−１，４−ブタンジオール、３−メチル−１，２−ブタンジオール、３−メチル−１，３ブタンジオール、２−エチル−１，３−プロパンジオール、２，２−ジメチル−１，３−プロパンジオール、１，２−ヘキサンジオール、１，５−ヘキサンジオール、１，６−ヘキサンジオール、２，５−ヘキサンジオール、３，３−ヘキサンジオール、２−メチル−１，３−ペンタンジオール、２−メチル−１，５−ペンタンジオール、２−メチル−２，４−ペンタンジオール、３−メチル−１，５−ペンタンジオール、３−メチル−２，３−ペンタンジオール、３−メチル−２，４−ペンタンジオール、４−メチル−１，２−ペンタンジオール、２−エチル−２−メチル−１，３−プロパンジオール、２，２−ジメチル−１，３−ブタンジオール、２，３−ジメチル−１，２−ブタンジオール、１，２−ヘプタンジオール、１，７−ヘプタンジオール、３，４−ヘプタンジオール、２−プロピル−２−メチル−１，３−プロパンジオール、２−イソプロピル−２−メチル−１，３−プロパンジオール、１，２−オクタンジオール、１，８−オクタンジオール、３，６−オクタンジオール、２−エチル−１，３−ヘキサンジオール、２−ｓｅｃ−ブチル−２−ブチル−１，３−プロパンジオール、２，２−ジメチル−１，３−ヘキサンジオール、２，５−ジメチル−２，５−ヘキサンジオール、２，２，４−トリメチル−１，３−ペンタンジオール、１，２−ノナンジオール、１，３−ノナンジオール、１，９−ノナンジオール、３，６−オクタンジオール、２−エチル−２−（２−メチル）プロピル−１，３−プロパンジオール、２，２，４−トリメチル−１，６−ヘキサンジオール、２，４，４−トリメチル−１，６−ヘキサンジオール、２−ブチル−２−エチル−１，３−プロパンジオール、２，４−ジエチル−１，５−ペンタンジオール、２−メチル−１，８−オクタンジオール、１，２−デカンジオール、１，１０−デカンジオール、５，６−デカンジオール、３，６−ジメチル−３，６−オクタンジオール、３，７−ジメチル−１，６−オクタンジオール、３，７−ジメチル−１，７−オクタンジオール、１，２−ウンデカンジオール、１，４−ウンデカンジオール、１，１１−ウンデカンジオール、６−エチル−３−メチル−１，６−オクタンジオール、１，２−ドデカンジオール、１，１０−ドデカンジオール、１，１２−ドデカンジオール、２，４−ジエチル−１，５−オクタンジオール、２，８，８−トリメチル−２，７−ノナンジオール、１，２−テトラデカンジオール、１，１４−テトラデカンジオール、７，８−テトラデカンジオール、１，２−ペンタデカンジオール、１，２−ヘキサデカンジオール、１，１６−ヘキサデカンジオール、１，１７−ヘプタデカンジオール、１，２−オクタデカンジオール、１，１２−オクタデカンジオール、１，２−エイコサンジオール、１，２−ドコサンジオール、１，２−テトラコサンジオール等の飽和ジオール又はその縮合物；
【００４８】
２−ブテン−１，４−ジオール、３−ブテン−１，２−ジオール、２−メチレン−１，３−プロパンジオール、２−ブチン−１，４−ジオール、５−ヘキセン−１，２−ジオール、３−メチル−２−ペンテン−１，５−ジオール、３−メチレンペンタン−１，５−ジオール、１，５−ヘキサジエン−３，４−ジオール、７−オクテン−１，２−ジオール、２，５−ジメチル−３−ヘキセン−２，５−ジオール、９−デセン−１、２−ジオール、２，６−ジメチル−７−オクテン−２，６−ジオール、３，７−ジメチル−７−オクテン−１，６−ジオール、１３−テトラデセン−１、２−ジオール、１２−ヒドロキシ−９−オクタデセノール、２−ペンチン−１，４−ジオール、３−ヘキシン−２，５−ジオール、４−メチル−２−ペンチン−１，４−ジオール、３−ヘプチン−２，５−ジオール、４−メチル−２−ペンチン−１，４−ジオール、３，４−ジメチル−１−ペンチン−３，４−ジオール、２，５−ジメチル−３−ヘキシン−２，５−ジオール、５−デシン−４，７−ジオール、２，６−ジメチル−７−オクチン−２，６−ジオール、３，６−ジメチル−４−オクチン−３，６−ジオール、２，３，６，７−テトラメチル−４−オクチン−３，６−ジオール、２，４，７，９−テトラメチル−５−デシン−４，７−ジオール、２，５，８，１１−テトラメチル−６−ドデシン−５，８−ジオール、１，１，４，４−テトライソプロピル−４−オクチン−３，６−ジオール、５，１０−ジエチル−７−テトラデシン−６，９−ジオール等の不飽和ジオール；
【００４９】
１，２−シクロペンタンジオール、１，３−シクロペンタンジオール、１，２−シクロヘキサンジオール、１，３−シクロヘキサンジオール、１，４−シクロヘキサンジオール、１，２−シクロヘプタンジオール、２，３−ノルボルナンジオール、２，５−ノルボルナンジオール、２，７−ノルボルナンジオール、１，２−シクロオクタンジオール、１，４−シクロオクタンジオール、１，２−シクロデカンジオール、５−シクロオクテン−１，２−ジオール、１，５−デカリンジオール、リモネングリコール、１，２−テルペンジオール、４，４’−ビシクロヘキサンジオール、１，２−シクロドデカンジオール等の脂環状ジオール；
【００５０】
グリセリン、１，２，３−ブタントリオール、１，２，４−ブタントリオール、２−メチル−１，２，３−プロパントリオール、１，２，３−ペンタントリオール、１，２，４−ペンタントリオール、１，３，５−ペンタントリオール、２，３，４−ペンタントリオール、２−メチル−２，３，４−ブタントリオール、トリメチロールエタン、２，３，４−ヘキサントリオール、２−エチル−１，２，３−ブタントリオール、トリメチロールプロパン、４−プロピル−３，４，５−ヘプタントリオール、２，４−ジメチル−２，３，４−ペンタントリオール、トリエタノールアミン、トリイソプロパノールアミン等の３価アルコール；
【００５１】
エリスリトール、ペンタエリスリトール、１，２，３，４−ペンタテトロール、２，３，４，５−ヘキサテトロール、１，２，４，５−ペンタンテトロール、１，３，４，５−ヘキサンテトロール、ジグリセリン、ソルビタン、Ｎ，Ｎ，Ｎ’，Ｎ’−テトラキス（２−ヒドロキシプロピル）エチレンジアミン、Ｎ，Ｎ，Ｎ’，Ｎ’−テトラキス（ヒドロキシエチル）エチレンジアミン等の４価アルコール；
【００５２】
アドニトール、アラビトール、キシリトール、トリグリセリン等の５価アルコール；ジペンタエリスリトール、ソルビトール、マンニトール、イジトール、イノシトール、ダルシトール、タロース、アロース等の６価アルコール；
【００５３】
１−メチルグリセリルエーテル、２−メチルグリセリルエーテル、１−エチルグリセリルエーテル、２−エチルグリセリルエーテル、１−プロピルグリセリルエーテル、２−プロピルグリセリルエーテル、１−イソプロピルグリセリルエーテル、２−イソプロピルグリセリルエーテル、１−ブチルグリセリルエーテル、２−ブチルグリセリルエーテル、１−イソブチルグリセリルエーテル、２−イソブチルグリセリルエーテル、１−ペンチルグリセリルエーテル、２−ペンチルグリセリルエーテル、１−ヘキシルグリセリルエーテル、２−ヘキシルグリセリルエーテル、１−ヘプチルグリセリルエーテル、２−ヘプチルグリセリルエーテル、１−オクチルグリセリルエーテル、２−オクチルグリセリルエーテル、１−（２−エチルヘキシル）グリセリルエーテル、２−（２−エチルヘキシル）グリセリルエーテル、１−ノニルグリセリルエーテル、２−ノニルグリセリルエーテル、１−デシルグリセリルエーテル、２−デシルグリセリルエーテル、１−ウンデシルグリセリルエーテル、２−ウンデシルグリセリルエーテル、１−ドデシルグリセリルエーテル、２−ドデシルグリセリルエーテル、１−トリデシルグリセリルエーテル、２−トリデシルグリセリルエーテル、１−テトラデシルグリセリルエーテル、２−テトラデシルグリセリルエーテル、１−ヘキサデシルグリセリルエーテル、２−ヘキサデシルグリセリルエーテル、１−オクタデシルグリセリルエーテル、２−オクタデシルグリセリルエーテル、１−分枝オクタデシルグリセリルエーテル、２−分枝オクタデシルグリセリルエーテル、１−エイコシルグリセリルエーテル、２−エイコシルグリセリルエーテル、１−アリルグリセリルエーテル、２−アリルグリセリルエーテル、１−ウンデセニルグリセリルエーテル、２−ウンデセニルグリセリルエーテル、１−オレイルグリセリルエーテル、２−オレイルグリセリルエーテル、１−フェニルグリセリルエーテル、２−フェニルグリセリルエーテル等のグリセリンモノエーテル類；
【００５４】
Ｎ−メチルジエタノールアミン、Ｎ−エチルジエタノールアミン、Ｎ−プロピルジエタノールアミン、Ｎ−イソプロピルジエタノールアミン、Ｎ−ブチルジエタノールアミン、Ｎ−シクロヘキシルジエタノールアミン、Ｎ−（２−エチルヘキシル）ジエタノールアミン等のＮ−置換ジエタノールアミン類；
【００５５】
Ｎ−メチルジイソプロパノールアミン、Ｎ−エチルジイソプロパノールアミン、Ｎ−プロピルジイソプロパノールアミン、Ｎ−イソプロピルジイソプロパノールアミン、Ｎ−ブチルジイソプロパノールアミン、Ｎ−シクロヘキシルジイソプロパノールアミン、Ｎ−（２−エチルヘキシル）ジイソプロパノールアミン等のＮ−置換ジイソプロパノールアミン類；
【００５６】
３−ジメチルアミノ−１，２−プロパンジオール、３−ジエチルアミノ−１，２−プロパンジオール、３−ジプロピルアミノ−１，２−プロパンジオール、３−ジイソプロピルアミノ−１，２−プロパンジオール、３−ジブチルアミノ−１，２−プロパンジオール等のＮ，Ｎ−ジ置換−３−アミノ−１，２−プロパンジオール類が挙げられる。
【００５７】
これらの低分子ポリオールの中でも、プロピレングリコール、ジプロピレングリコール、トリプロピレングリコール、１，２−ブタンジオール、１，３−ブタンジオール、２，３−ブタンジオール、１，２−ペンタンジオール、３−メチル−１，３ブタンジオール、１，２−ヘキサンジオール、１，２−ヘプタンジオール、１，２−オクタンジオール、２−エチル−１，３−ヘキサンジオール、１，２−ノナンジオール、２−ブチル−２−エチル−１，３−プロパンジオール、１，２−デカンジオール、１，１０−デカンジオール、グリセリン、トリエタノールアミン、トリイソプロパノールアミン、エリスリトール、ジグリセリン、ソルビタン、Ｎ，Ｎ，Ｎ’，Ｎ’−テトラキス（２−ヒドロキシプロピル）エチレンジアミン、Ｎ，Ｎ，Ｎ’，Ｎ’−テトラキス（ヒドロキシエチル）エチレンジアミン、ソルビトール、１−メチルグリセリルエーテル、１−エチルグリセリルエーテル、１−プロピルグリセリルエーテル、１−ブチルグリセリルエーテル、１−オクチルグリセリルエーテル、１−（２−エチルヘキシル）グリセリルエーテル、１−デシルグリセリルエーテル、１−アリルグリセリルエーテルが好ましく、プロピレングリコール、ジプロピレングリコール、トリプロピレングリコール、１，３−ブタンジオール、３−メチル−１，３ブタンジオール、１，２−オクタンジオール、グリセリン、トリエタノールアミン、ジグリセリン、ソルビタン、Ｎ，Ｎ，Ｎ’，Ｎ’−テトラキス（２−ヒドロキシプロピル）エチレンジアミン、ソルビトール、１−アリルグリセリルエーテルがより好ましく、プロピレングリコール、ジプロピレングリコール、１，３−ブタンジオール、３−メチル−１，３−ブタンジオール、グリセリン、ソルビトール、１−アリルグリセリルエーテルが更に好ましい。
【００５８】
低分子ポリオールは上記の１種又は２種以上を配合してもよい。その配合量は特に限定されず、化粧料組成物の種類によって異なるが、概ね化粧料組成物全量に対して０．０１〜９０質量％が好ましく、０．０５〜７０質量％がより好ましい。なお、低分子量ポリオールの中には保湿効果を有するものがある。
【００５９】
植物由来エキスとは、植物または藻類または菌類の全部、または花、葉、茎、果実、樹皮、根、種、樹脂等の特定の部位を、そのまま、又は圧搾、乾燥粉砕若しくは発酵等を加えてから、常温又は加温下で溶媒により抽出することにより得られるもので、水、エタノール、プロピレングリコール又は油脂に溶解するものをいう。あるいは、該抽出液を希釈し、濃縮し、または乾燥したものでもよい。さらに、水蒸気蒸留法、抽出法、クロマトグラフィー法等を用いて精油としたものでもよい。
【００６０】
植物由来エキスの抽出溶媒としては、通常天然物成分の抽出に用いられるもの、例えば、水；メタノール、エタノール、プロパノール、ブタノール等のアルコール類；エチレングリコール、プロピレングリコール、ブチレングリコール、グリセリン等の多価アルコール；アセトン、メチルエチルケトン等のケトン類；酢酸メチル、酢酸エチル等のエステル類；テトラヒドロフラン、ジエチルエーテル、ポリエチレングリコール等のエーテル類；ジクロロエタン、クロロホルム等のハロゲン化炭化水素類；石油エーテル、ｎ−ヘキサン、シクロヘキサン等の脂肪族炭化水素類；トルエン等の芳香族炭化水素類；ピリジン類；塩化ナトリウム溶液等が挙げられ、特に水、エタノール、プロピレングリコール、ブチレングリコールが好ましい。
【００６１】
植物由来エキスとして使用できる植物としては、例えば、アーチチョーク、アーモンド、アイ、アイセンハルドチアポリスタキア、アイブライト、アオノリュウゼツラン、アオモジ、アカシアコンシナ、アカシアセネガル、アカシアセネガルガム、アカシアデクレンス、アカツメクサ、アカハルニレ、アカヤジオウ、アギ、アグリモニアエウパトリア、アケビ、アサガオカラクサ、アザミ、アシ、アシタバ、アジュガツルケスタニカ、アズキ、アスナロ、アスパラガス、アスパラサスリネアリス、アセロラ、アセンヤク、アセンヤクノキ、アトラスシーダー、アニス、アノゲイススレイオカルプス、アベナストリゴサ、アボカド、アマ、アマチャ、アマチャヅル、アマドコロ、アマモ、アミリスバルサミフェラ、アメリカサイカチ、アメリカサンショウ、アメリカショウマ、アメリカニンジン、アモムムアロマチクム、アラカシ、アルカナ、アルクチウムマジュス、アルクチウムミヌス、アルニカ、アルニカカミソニス、アルピニアオフィシナルム、アルファルファ（別名ムラサキウマゴヤシ）、アロエベラ、アンザンジュ、アンズ、アンゼリカ、アンチリスブルネラリア、アンペロプシスグロセデンタタ、アンマロク、イカリソウ、イザヨイバラ、イタドリ、イタリアイトスギ、イチゴ、イチジク、イチヤクソウ、イチョウ、イトラン、イナゴマメ、イブキトラノオ、イモセミル、イラクサ、イランイラン、イリス、イリスパリダ、イワベンケイ、イワミツバ、インゲンマメ、ウイキョウ、ウィタニアソムニフェラ、ウコン、ウスバサイシン、ウツボグサ、ウド、ウミクロウメモドキ、ウメ、ウヤク、ウラルカンゾウ、ウリ、ウルバラクツカ、ウルムスダビディアナ、ウンカリアトメントサ、ウンシュウミカン、エイジツ、エイランタイ、エーデルワイス、エゾウコギ、エゾヘビイチゴ、エゾミソハギ、エチナシ、エチナセアパリダ、エニシダ、エビネ、エブリコ、エルム、エレミ、エンジュ、エンドウ、エンピツビャクシン、エンメイソウ、オウシュウヨモギ、オウレン、オオアザミ、オオウメガサソウ、オオエゾデンダ、オオカラスノエンドウ、オーキスマクラタ、オーキスマスクラ、オーキッド、オーク（別名ヨーロッパナラ）、オオグルマ、オオバナオケラ、オオバナカカオノキ、オオバナサルスベリ、オオベニミカン、オオミテングヤシ、オオミノトケイソウ、オオムギ、オールスパイス、オカゼリ、オクラ、オシロイバナ、オタネニンジン、オトギリソウ、オニゲシ、オニサルビア、オニハマダイコン、オノニス、オプンティアストレプタカンサ、オプンティアツナ、オランダカラシ、オランダシャクヤク、オリーブ、オリガヌムヘラクレオチクム、オルトシホンスタミネウス、オルメニスムルチカウリス、オレンジ、オロバンケラプム、ガーデニアタヒテンシス、カーネーション、カーヤセネガレンシス、カカオ、カキョク、カシア、カシューナット、カスカラサグラダ、カッシアイタリカ、カッパフィカスアルバレジ、カトレヤ、カナダヒドラスチス、カナリヤノキ、カニナバラ、カノコソウ、カバアナタケ、カブ、ガマ（蒲）、カミツレ（別名カモミール）、カミメボウキ、カユプテ、カラクサケマン、カラスムギ、カラスムギワラ、カラトウキ、ガラナ、ガリカバラ、カリフラワー、カリン、カルーナ（別名ギョリュウモドキ）、ガルシニアカンボジア、カロット、カワラヨモギ（別名インチンコウ）、カンゾウ、カンテンイタビ、キイチゴ、キウイ、キカラスウリ、キクニガナ、キゲリアアフリカーナ、キダチアロエ、キダチハッカ、キナノキ、キノア、キハダ（別名オウバク）、キバナスズシロ、キバナノハウチワマメ、キビ、ギムネマ、キモクレン、キャッサバ、キャベツ、キャラウェー、キュウリ（別名キューカンバー）、キョウオウ、ギョリュウ、ギョリュウバイ、キラヤ、キリ、ギンバイカ（別名スイカズラ）、グアー、グァバ、クインスシード、クゥエルカスアルバ、ククイノキ、クコ、クサノオウ、クズ、クスノキ、クダモノトケイソウ、クチナシ、クマコケモモ、クマザサ、クマツヅラ、クマノギク、クミン、クラメリアトリアンドラ、クララ、グランベリー、クリスマムマリチマム、グリンデリアロブスタ、クリントニアボレアリス、クルマバソウ、クルミ、グレープフルーツ、クレマティス、クロガラシ、クログルミ、クロバナヒキオコシ、グローブ、クロフサスグリ、クロミグワ、クワ、ケイケットウ、ケイ（別名シナモン）、ゲウムウルバヌム、ゲウムリバレ、ケープアロエ、ケシ、ゲッカビジン、ゲッケイジュ、ゲットウ、ケミヤマコウゾリナ、ゲンチアナ、ゲンチアナプロストラータ、ゲンノショウコ、ケンポナシ、コウキ、コウキシタン、コウケイテン、コウスイガヤ、コウボウ、コウホネ、コーヒーノキ、コガネバナ、コクシニアインディカ、コクタン、コクレアリアオフィシナリス、コケモモ、ココヤシ、ゴショイチゴ、コショウ、コシロノセンダングサ、コチニールサボテン、コチョウセッコク、コチョウラン、コナラ、コハコベ、ゴボウ、ゴマ、コムギ、コメ、コラノキ、コリアンダー、コレウス、コレウスバルバツス、ゴレンシ、コロハ、コンズランゴ、コンフリー（別名ヒレハリソウ）、コンブレタムミクランサム、サイザルアサ、サイシン、サイペラスエスクレンタス、サイプレス、サイヨウソウ、サウスレアインボルクラタ、サキシマボタンヅル、サクラ、サクラバカンボク、ザクロ、サトウカエデ、サトウキビ、サトウマツ、サザンカ、サッサフラスノキ、サフラン、サボンソウ、サラソウジュ、サリックスニグラ、サルスベリ、サングイナリアカナデンシス、サンザシ、サンシキスミレ、サンシチニンジン、サンシュユ、サンショウ、サンペンズ、シアテアメデュラリス、シアノチスアラクノイデア、シアバターノキ、シオザキソウ、シシンブリウムイリオ、シストローズ（別名ラブダナム）、シスツスモンスペリエンシス、シスツスラダニフェルス、シソ、シチヘンゲ、シナノキ、シバムギ、ジプテリクスオドラタ、シベリアモミ、シマルバ、シミシフガダフリカ、シモツケソウ、ジャガイモ、シャクヤク、ジャスミン、ジャノヒゲ、ジャノメエリカ、シュクシャ、ジュズダマ、シュッコンカスミソウ、ジュニペルスメキシカナ、ジュンサイ、ショウガ、ショウズク（別名カルダモン）、ショウブ、ショウヨウダイオウ、シラカバ、シラン、ロガラシ、シロバナインドソケイ、シロバナルーピン、シロバナワタ、シンコナカリサヤ、シンセパルムデュルシフィクム、シンビジウム、シンプロコスラセモサ、スイートアカシア、スイカ、スイカズラ、スカビオサアルベンシス、スギナ、スクテラリアガレリクラータ、ステビア、ストローブマツ、スパイニーバンブー、スピルリナプラテンシス、スピルリナマキシマ、スベリヒユ、スペルトコムギ、スミノミザクラ、スミラックスアリストロチアエホリア、セイヨウアカネ、セイヨウアカマツ、セイヨウイソノキ、セイヨウイラクサ、セイヨウオオバコ、セイヨウオトギリソウ、セイヨウカノコソウ、セイヨウカボチャ、セイヨウカリン、セイヨウカワラニンジン、セイヨウキズタ、セイヨウグルミ、セイヨウゴマノハグサ、セイヨウサクラソウ、セイヨウサンザシ、セイヨウシナノキ、セイヨウシロヤナギ、セイヨウタンポポ、セイヨウツゲ、セイヨウトチノキ、セイヨウトネリコ、セイヨウナシ、セイヨウナツユキソウ、セイヨウナナカマド、セイロンニッケイ、セイヨウニワトコ、セイヨウニンジンボク、セイヨウネズ、セイヨウノコギリソウ、セイヨウハシバミ、セイヨウハッカ、セイヨウヒイラギ、セイヨウミザクラ、セイヨウミヤコグサ、セイヨウメギ、セイヨウヤドリギ、セイヨウヤブイチゴ、セイロンニッケイ、セージ、セクロピアオブツシホリア、セコイアオスギ、セシルオーク、セダムプルプレウム、ゼニアオイ、セネガ、ゼラニウム、セルシジウムフロリダム、セレウスグランディフロラス、セロリ、センキュウ、センチフォリアバラ、センチペダクンニンガミー、センニンコク、センプクカ、センブリ、ソウジュツ、ソウハクヒ、ソウパルメット、ソケイ、ソバ、ソラヌムリコカルプム、ダイウイキョウ、ダイコン、ダイサンチク、ダイズ、タイソウ、ダイダイ、タイツリオウギ、タイム、タイワンヒノキ、タカサブロウ、タチジャコウソウ、タチバナ、タブノキ、タベブイアアベラネダエ、タマサキツヅラフジ、ダマスクバラ、タマネギ、ダミアナ、タラゴン、タンジン、タンボリッサトリコフィラ、チガヤ、チャ（茶）、チャボトケイソウ、チューベロース、チョウジ、チョウセンゴミシ、チョウマメ、チリアトメントサ、ツクシメナモミツバキ、ツボクサ、ツルグミ、ツルドクダミ、ツルレイシ、ティーツリー、ディオスコレアコンポジタ、ディオスコレアビロサ、ディオスコレアメキシカナ、テウチグルミ、テコマクリアリス、テツザイノキ、デューク、デュボイシアレイカルドチ、テルミナリア、テンチャ、ドイツアヤメ、ドイツトウヒ、トウガシ、トウガラシ、トウキ、トウキンセンカ、トウニン、トウネズミモチ、トウヒ、トウモロコシ、トウモロコシシルク、トウロウソウ、トクサ、ドクダミ、ドクニンジン、トシシ（別名マメダオシ）、トショウ、トマト、トリゴネラフォエヌム、トルメンチラ、トロロアオイモドキ、ナガバギシギシ、ナギイカダ、ナス、ナズナ、ナタマメ、ナツシロギク、ナツボダイジュ、ナツメ、ナツメヤシ、ナンキョウソウ、ナンバンアイ、ナンバンクサフジ、ニオイスミレ、ニオイテンジクアオイ、ニオイヒバ、ニガヨモギ、ニクズク、ニゲラサチバ、ニュウコウジュ、ニラネギ、ニンジン、ニンニク、ニンファエアアルバ、ネナシカズラ、ノイバラ、ノウゼンハレン、ノジスミレ、ノバラ、ノボロギク、パイナップル、ハイビスカス、ハイマツ、バオバブ、バクホウシアシトリオドラ、バクモンドウ、バコパモンニエラ、ハゴロモグサ、ハス、パセリ、パチョリ、ハッカクレイシ、バッカリスゲニステロイデス、パッシフローラアラタ、ハトムギ、バナナ、ハナハッカ、ハニーサックル、バニラ、バニラタヒテンシス、ハネセンナ、パパイア、パフィオペディルムマウディアエ、ハベルレアロドペンシス、ハマナス、ハマメリス、ハヤトウリ、バラ、パリエタリア、ハリエンジュ、ハルパゴフィタム、パルマローザ、バロスマベツリナ、バンウコン、パンジー、バンバラマメ、ビート、ヒイラギメギ、ヒオウギ、ヒキオコシ、ビスナガベラ、ビターアーモンド、ビターオレンジ、ヒドラスチスカナデンシス、ヒナギク、ヒナゲシ、ビナンカズラ、ピヌスヘーダ、ヒノキ、ヒバマタ、ヒヒラギギク、ヒポファエラムノイデス、ヒマワリ、ヒメコウジ、ヒメコラ、ヒメツルニチニチソウ、ヒメナエアクルバリル、ヒメフウロ、ビャクダン、ヒヨコマメ、ヒラマメ、ヒレハリソウ、ビロウドアオイ、ピロカルプスペンナチホリウス、ビワ、ビンロウ、ファフィアパニクラタ、フウセンカズラ、プエラリアミリフィカ、フェルラガルバニフルア、フキタンポポ、ブクリョウ、フサザキスイセン、フサスグリ、フサフジウツギ、フサヌススピカツス、プチグレン、プチコペタルムオラコイデス、ブッソウゲ、ブッチャーブルーム、プテロカルプスマルスピウム、ブドウ、フトモモ、ブナ、フユザンショウ、フユボダイジュ、フユムシナツクサタケ、フラガリアチロエンシス、ブラジルナッツノキ、フランスカイガンショウ、フランスラベンダー、プランタゴアフラ、プランタゴオバタ、プランタゴプシリウム、プリムラシキメンシス、プルーン、プルヌスアフリカナ、プルヌスセロチナ、プルメリア、プレクトランツスバルバタス、ブレチアヒアシンチナ、プロポリス、ベイ、ヘイフラワー、ヘーゼルナッツ、ペカン、ベチベル、ヘチマ、ペニーロイヤルミント、ベニノキ、ベニバナ、ベニバナセンブリ、ペポカボチャ、ヘラオオバコ、ペラルゴニウムカピタツム、ヘリクリスムアレナリウム、ヘリクリスムアングスチホリウム、ヘリクリスムイタリクム、ベルガモット、ペルトホルムダシラチス、ペルーバルサム、ベルガモット、ベルベリスアクイホリウム、ベロニカオフィシナリス、ヘンナ、ヘンルーダ、ホウキギ、ボウシュウボク、ボウシュンカ、ホウセンカ、ホウライシダ、ホウレンソウ、ホークウィード、ホオノキ、ホクベイフウロソウ、ボコアプロウアセンシス、ボスウェリアセラタ、ホソバセンナ、ホソババレンギク、ボダイジュ、ボタン、ホップ、ポテリウムオフィ
シナレ、ホホバ、ポリゴナツムムルチフロルム、ボルド、ポンカン、マカデミア、マグノリアオフィシナリス、マグノリアビオンジ、マグワ、マゴジャクシ、マサキ、マダケ、マツ、マツリカ、マテチャ、マドンナリリー、マヨラナ、マリアアザミ、マルピギアグラブラ、マルメロ、マロニエ、マンゴー、マンゴスチン、マンシュウアカジカ、マンシュウアカマツ、マンジュギク、マンダリンオレンジ、マンドレイク、ミシマサイコ、ミズハッカ、ミズレモン、ミチヤナギ、ミツガシワ、ミトラカーパススケーバー、ミモザテヌイフローラ、ミルシアリアデュビア、ミルラ（別名モツヤクジュ）、ミロタムヌスフラベリフォリア、ミロバラン、ムクロジ、ムラサキ、ムラサキシキブ、ムラサキセンブリ、ムラサキバレンギク、ムラヤコエンジー、メボウキ、メマツヨイグサ、メリアアザジラクタ、メリッサ（別名コウスイハッカ）、メリロート、メロスリア、メロン、メンタアルベンシス、モウコヨモギ、モウレラフルビアチリス、モクレン、モスカータバラ、モスビーン、モツヤクジュ、モモ、モモタマナ、ヤクモソウ、ヤグルマギク、ヤシャブシ、ヤチヤナギ、ヤナギハッカ、ヤナギラン、ヤマグワ、ヤマザクラ、ヤマノイモ、ヤマヨモギ、ユウガオ、ユーカリ、ユーパトリウムアヤパナ、ユーパトリウムレバウジアヌムベルトニ、ユキノシタ、ユズ、ユソウボク、ユチャ、ユッカグラウカ、ユッカシジゲラ、ユリ、ヨウシュツルキンバイ、ヨウシュホオズキ、ヨウシュヤマゴボウ、ヨーロッパアキノキリンソウ、ヨーロッパキイチゴ、ヨーロッパグリ、ヨーロッパクロヤマナラシ、ヨーロッパシラカバ、ヨーロッパブナ、ヨーロッパマンネングサ、ヨーロッパモミ、ヨモギ、ヨモギギク、ライチー（別名レイシ）、ライマメ、ライム、ライムギ、ライラック、ラジアータマツ、ラタニア、ラッカセイ、ラナンキュラスフィカリア、ラバンデュラハイブリダ、ラフマ、ラベンダー、ラリックスエウロパエア、ラレアディバリカタ、ラレアメキシカナ、ランブータン、リソウ、リソサムニウムカルカラム、リトセアグルチノサ、リュウガン、リリオスマオバタキ、リンゴ、ルイボス、ルピヌススブカルノスス、ルブスビロスス、ルムプヤン、ルリジサ、ルリヒエンソウ、レスペデザ、レセダルテオラ、レタス、レダマ、レダムパルストレ、レバノンスギ、レビスチクムオフィシナーレ、レモン、レモングラス、レンゲソウ、ローズウッド、ローズマリー、ローブッシュブルーベリー、ローマカミツレ、ローレル（別名月桂樹）、ログウッド、ロブスタコーヒーノキ、ワイルドタイム、ワサビ、ワサビダイコン、ワサビノキ、ワタスギギク、ワタフジウツギ、ワルテリアインディカ、ワレモコウ等の植物；
【００６２】
アスコフィルムノドスム、アナメ、オオウキモ、オキナワモズク、ギガルチナステラータ、クジェルマニエラギラタ、サルガッスムフィリペンデュラ、サルガッスムフシフォルム、サルガッスムムティカム、スファセラリアスコパリア、デュルビレアアンタルチカ、パディナパボニカ、ヒマンタリアエロンガタ、フカスセラツス、ペルベチアカナリクラタ、マクロシスティスピリフェラ、ミツイシコンブ、ラミナリアオクロロイカ、ラミナリアクロウストニ、ラミナリアディギタータ、ラミナリアヒペルボレア、ワカメ、アスパラゴプシスアルマタ、イギス、カギイバラノリ、カタメンキリンサイ、ゲリジウムカーチラギネウム、サイミ、シマテングサ、ダルス、チノリモ、トチャカ、ポルフィリジウムクルエンタム、マルバチシマクロノリ、リソサムニウムコラリオイデス、アナアオサ、クロレラエメルソニ、クロレラピレノイドーサ、デュナリエラサリナ、デュナリエラバーダウィル、ヒラアオノリ、スピルリナプラテンシス、スピルリナマキシマ、ハスレアオストレアリア、デレセリアサングイネア、ピケアロブスタ、プリュウロクリシスカルテレ、ヘマトコッカスプルビアリス、ラン藻、コンドルスクリスプス、サンゴモ、シーウィップ、赤藻等の藻類；
【００６３】
エベルニアフルフラセア、ツノマタゴケ、ウスニアバルバタ、オシャグジタケ、カバアナタケ、シイタケ、ニンギョウタケ、ヒメマツタケ、フユムシナツクサタケ、カバアナタケ、チョレイマイタケ、冬虫夏草等の地衣類や菌糸類が挙げられる。
【００６４】
植物由来エキスは上記の１種又は２種以上を配合してもよい。その配合量は特に限定されず、化粧料組成物の種類によって異なるが、概ね化粧料組成物全量に対して０．０００１〜５質量％が好ましく、０．００１〜１質量％がより好ましい。
【００６５】
亜鉛化合物としては、例えば、酢酸亜鉛、ラウリン酸亜鉛、ミリスチン酸亜鉛、パルミチン酸亜鉛、リシノレイン酸亜鉛、ウンデシレン酸亜鉛、アスパラギン酸亜鉛、アセチルメチオニン亜鉛、グルコン酸亜鉛、クエン酸亜鉛、ポリピロリドンカルボン酸亜鉛、ピコリン酸亜鉛等の有機酸亜鉛塩；ｐ−フェノールスルホン酸亜鉛等のスルホン酸亜鉛塩、アスコルビルリン酸亜鉛、セチルリン酸亜鉛ナトリウム、ＤＮＡ亜鉛等のリン酸エステル亜鉛塩；ジンクピリチオン等の亜鉛錯体；（銀／亜鉛／アンモニウム）ゼオライト、ケイ酸（アンモニウム／銀／亜鉛／アルミニウム）等の亜鉛担持ゼオライト；酸化アルミニウム／亜鉛、酸化アルミニウム／亜鉛／セリウム、酸化アルミニウム／亜鉛／鉄等の水酸化アルミニウム等の焼成物；硫酸亜鉛、硫化亜鉛、塩化亜鉛、臭化亜鉛、硝酸亜鉛、塩化亜鉛アンモニウム、硫酸亜鉛アルミニウム、硫酸亜鉛カリウム、ヨウ化亜鉛、塩基性炭酸亜鉛等の無機亜鉛塩；（水酸化／炭酸）（Ｍｇ／Ａｌ／亜鉛）、酸化亜鉛等が挙げられる。これらの中でも、水に溶解して亜鉛イオンになりやすい化合物が好ましく、２０℃における水１００ｇへの溶解度が５ｇ以上であることが好ましく、溶解度が１０ｇ以上であることが更に好ましい。このような亜鉛化合物としては、硫酸亜鉛、塩化亜鉛、グルコン酸亜鉛、臭化亜鉛、硝酸亜鉛、塩化亜鉛アンモニウム、硫酸亜鉛アルミニウム、硫酸亜鉛カリウム、ヨウ化亜鉛等が挙げられる。
【００６６】
亜鉛化合物は上記の１種又は２種以上を配合してもよい。その配合量は特に限定されず、化粧料組成物の種類によって異なるが、概ね化粧料組成物全量に対して０．００１〜１０質量％が好ましく、０．０１〜３質量％がより好ましい。
【００６７】
増粘剤としては、例えば、塩化ジメチルジアリルアンモニウム・アクリルアミド共重合体、アクリルアミド・アクリル酸・塩化ジメチルジアリルアンモニウム共重合体、セルロース又はその誘導体、ケラチン及びコラーゲン又はそれらの誘導体、アルギン酸カルシウム、プルラン、寒天、ゼラチン、タマリンド種子多糖類、キサンタンガム、カラギーナン、ハイメトキシルペクチン、ローメトキシルペクチン、グアーガム、アラビアゴム、結晶セルロース、アラビノガラクタン、カラヤガム、トラガカントガム、アルギン酸、アルブミン、カゼイン、カードラン、βグルカン及びβグルカン誘導体（但し、本発明のカチオン化βグルカンを除く）、ジェランガム、デキストラン、α−グルコース及びα−グルコースの誘導体等が挙げられる。
【００６８】
増粘剤は上記の１種又は２種以上を配合してもよい。その配合量は特に限定されず、化粧料組成物の種類によって異なるが、概ね化粧料組成物全量に対して０．０１〜２０質量％が好ましく、０．０５〜１０質量％がより好ましい。
【００６９】
油剤としては、通常皮膚化粧料に用いられる揮発性及び不揮発性の油剤及び溶剤及び樹脂が挙げられ、常温で液体、ペースト、固体であっても構わないが、ハンドリングに優れる液体が好ましい。油剤としては、例えば、セチルアルコール、イソステアリルアルコール、ラウリルアルコール、ヘキサデシルアルコール、オクチルドデカノール等の高級アルコール；ラウリン酸、ウンデシレン酸、ミリスチン酸、パルミチン酸、ステアリン酸、ベヘニン酸、イソステアリン酸、１２−ヒドロキシステアリン酸、オレイン酸、リノール酸、リノレン酸、アラキドン酸、エイコサペンタエン酸、ドコサヘキサエン酸、イソステアリン酸、１２−ヒドロキシステアリン酸、ラノリン脂肪酸等の高級脂肪酸；ミリスチン酸ミリスチル、ラウリン酸ヘキシル、オレイン酸デシル、ミリスチン酸イソプロピル、ジメチルオクタン酸ヘキシルデシル、モノステアリン酸グリセリン、フタル酸ジエチル、モノステアリン酸エチレングリコール、オキシステアリン酸オクチル、アジピン酸ジイソプロピル、オクタン酸セチル、イソノナン酸イソノニル、パルミチン酸イソプロピル、ステアリン酸ステアリル、ミリスチン酸イソトリデシル、パルミチン酸２−エチルへキシル、リシノール酸オクチルドデシル、１０〜３０の炭素数を有する脂肪酸コレステリル／ラノステリル、乳酸セチル、酢酸ラノリン、ジ−２−エチルヘキサン酸エチレングリコール、ペンタエリスリトール脂肪酸エステル、ジペンタエリスリトール脂肪酸エステル、カプリン酸セチル、トリカプリル酸グリセリル、リンゴ酸ジイソステアリル、コハク酸ジオクチル、及び２−エチルヘキサン酸セチル等のエステル類；流動パラフィン、ワセリン、スクワラン等の炭化水素；ラノリン、還元ラノリン、カルナバロウ等のロウ；ミンク油、カカオ脂、ヤシ油、パーム核油、ツバキ油、ゴマ油、ヒマシ油、オリーブ油等の油脂；ジメチルポリシロキサン、メチルハイドロジンポリシロキサン、メチルフェニルポリシロキサン、ポリエーテル変性オルガノポリシロキサン、フルオロアルキル・ポリオキシアルキレン共変性オルガノポリシロキサン、アルキル変性オルガノポリシロキサン、末端変性オルガノポリシロキサン、フッ素変性オルガノポリシロキサン、アモジメチコーン、アミノ変性オルガノポリシロキサン、シリコーンゲル、アクリルシリコーン、トリメチルシロキシケイ酸、シリコーンＲＴＶゴム等のシリコーン化合物；パーフルオロポリエーテル、フッ化ピッチ、フルオロカーボン、フルオロアルコール等のフッ素化合物；ポリブテン、ポリイソブテン、水添ポリイソブテン、エチレン・α−オレフィン・コオリゴマー等のポリオレフィン又はオレフィンオリゴマー；ミネラルオイル、軽質流動イソパラフィン、ワセリン、スクワラン等の炭化水素等が挙げられる。
【００７０】
油剤は上記の１種又は２種以上を配合してもよい。その配合量は特に限定されず、化粧料組成物の種類によって異なるが、概ね化粧料組成物全量に対して０．１〜９０質量％が好ましく、０．５〜７０質量％がより好ましい。
【００７１】
色素としては、例えば、赤色２０１号、黄色４号、青色１号、黒色４０１号等の色素、黄色４号Ａｌレーキ、黄色２０３号Ｂａレーキ等のレーキ色素等が挙げられる。
【００７２】
顔料としては、例えば、酸化チタン等の白色顔料、シリカ、タルク、マイカ、セリサイト、カオリン等の体質顔料、雲母チタン等のパール顔料が挙げられる。これらの顔料の形状（球状、棒状、針状、板状、不定形状、燐片状、紡錘状等）に特に制限はない。これらの顔料は、従来公知の表面処理、例えばフッ素化合物処理、シリコーン処理、シリコーン樹脂処理、ペンダント処理、シランカップリング剤処理、チタンカップリング剤処理、油剤処理、Ｎ−アシル化リジン処理、ポリアクリル酸処理、金属石鹸処理、アミノ酸処理、無機化合物処理、プラズマ処理、メカノケミカル処理等によって事前に表面処理されていてもよい。
【００７３】
色素及び／又は顔料は上記の１種又は２種以上を配合してもよい。その配合量は特に限定されず、化粧料組成物の種類によって異なるが、概ね化粧料組成物全量に対して０．１〜９０質量％が好ましく、０．５〜７０質量％がより好ましい。
【００７４】
抗菌剤としては、例えば、メチルパラベン、エチルパラベン等のパラベン系抗菌剤；チアベンダゾール、２−ベンツイミダゾリルカルバミン酸メチルプリベントール等のイミダゾール系抗菌剤；トリクロロカルバニリド、クロフルカルバン等のカーバニリド系抗菌剤；ベンゾチアゾール等のチアゾール系抗菌剤；デブコナゾール、カビノン等のトリアジン系抗菌剤；クロルヘキシジン塩酸塩、ポリヘキサメチレンビグアナイド等のビグアナイド系抗菌剤等が挙げられる。
【００７５】
抗菌剤は上記の１種又は２種以上を配合してもよいが、これらの抗菌剤を併用する場合には、人体に対する刺激性等を考慮して慎重に使用すべきである。その配合量は概ね化粧料組成物全量に対して０．０１〜１０質量％が好ましく、０．０３〜３質量％がより好ましい。
【００７６】
ｐＨ調整剤としては、例えば、炭酸カリウム、炭酸水素ナトリウム、炭酸水素アンモニウム等が挙げられる。これらのｐＨ調整剤は、前記の第３級アミン及びアミドアミンからなるカチオン性界面活性剤の調製に用いる酸塩基と同一でも異なっても良い。
【００７７】
ｐＨ調整剤は上記の１種又は２種以上を配合してもよい。その配合量は特に限定されず、化粧料組成物の種類によって異なるが、概ね化粧料組成物全量に対して０．００１〜１０質量％が好ましく、０．０１〜５質量％がより好ましい。
【００７８】
酸化防止剤としては、例えば、トコフェロール、ブチルヒドロキシアニソール、ジブチルヒドロキシトルエン、フィチン酸等が挙げられる。
【００７９】
酸化防止剤は上記の１種又は２種以上を配合してもよい。その配合量は特に限定されず、化粧料組成物の種類によって異なるが、概ね化粧料組成物全量に対して０．００１〜１０質量％が好ましく、０．０１〜５質量％がより好ましい。
【００８０】
紫外線吸収剤としては、例えば、サリチル酸ホモメンチル、サリチル酸オクチル、サリチル酸トリエタノールアミン等のサリチル酸系；パラアミノ安息香酸、エチルジヒドロキシプロピルパラアミノ安息香酸、グリセリルパラアミノ安息香酸、オクチルジメチルパラアミノ安息香酸、パラジメチルアミノ安息香酸アミル、パラジメチルアミノ安息香酸２−エチルへキシル等のＰＡＢＡ系；４−（２−β−グルコピラノシロキシ）プロポキシ−２−ヒドロキシベンゾフェノン、ジヒドロキシジメトキシベンゾフェノン、ジヒドロキシジメトキシベンゾフェノンジスルホン酸ナトリウム、２−ヒドロキシ−４−メトキシベンゾフェノン、ヒドロキシメトキシベンゾフェノンスルホン酸及びその三水塩、ヒドロキシメトキシベンゾフェノンスルホン酸ナトリウム、２−ヒドロキシ−４−メトキシベンゾフェノン−５−硫酸、２，２’−ジヒドロキシ−４−メトキシベンゾフェノン、２，４−ジヒドロキシベンゾフェノン、２，２’４，４’−テトラヒドロキシベンゾフェノン、２、２’−ジヒドロキシ−４，４’−ジメトキシベンゾフェノン、２−ヒドロキシ−４−Ｎ−オクトキシベンゾフェノン等のベンゾフェノン系；パラメトキシケイ皮酸２−エチルヘキシル（別名；パラメトキシケイ皮酸オクチル）、ジパラメトキシケイ皮酸モノ-２-エチルヘキサン酸グリセリル、２，５−ジイソプロピルケイ皮酸メチル、２，４，６−トリス［４−（２−エチルへキシルオキシカルボニル）アニリノ］−１，３，５−トリアジン、トリメトキシケイ皮酸メチルビス（トリメチルシロキシ）シリルイソペンチル、パラメトキシケイ皮酸イソプロピル・ジイソプロピルケイ皮酸エステル混合物、ｐ−メトキシハイドロケイ皮酸ジエタノールアミン塩等のケイ皮酸系；２−フェニル−ベンズイミダゾール−５−硫酸、４−イソプロピルジベンゾイルメタン、４−ｔｅｒｔ−ブチル−４’−メトキシジベンゾイルメタン等のベンゾイルメタン系；２−シアノ−，３−ジフェニルプロパ−２−エン酸２−エチルヘキシルエステル(別名；オクトクリレン)、ジメトキシベンジリデンジオキソイミダゾリジンプロピオン酸２−エチルへキシル、１−（３，４−ジメトキシフェニル）−４，４−ジメチル−１，３−ペンタンジオン、シノキサート、メチル−Ｏ−アミノベンゾエート、２−エチルヘキシル−２−シアノ−３，３−ジフェニルアクリレート、３−（４−メチルベンジリデン）カンフル、オクチルトリアゾン、４−（３，４−ジメトキシフェニルメチレン）−２，５−ジオキソ−１−イミダゾリジンプロピオン酸２−エチルヘキシル、これらの高分子誘導体、及びシラン誘導体が挙げられる。
【００８１】
紫外線吸収剤は上記の１種又は２種以上を配合してもよい。その配合量は特に限定されず、化粧料組成物の種類によって異なるが、概ね化粧料組成物全量に対して０．０１〜１０質量％が好ましく、０．１〜１質量％がより好ましい。
【００８２】
保湿成分としては、例えば、デオキシリボ核酸、ムコ多糖類、ヒアルロン酸、コンドロイチン硫酸、コラーゲン、エラスチン、キチン、キトサン、加水分解卵殻膜、ポリオキシエチレンメチルグルコシド、ポリオキシプロピレンメチルグルコシド、乳酸ナトリウム、尿素、ピロリドンカルボン酸ナトリウム、ベタイン、ホエイ等が挙げられる。
【００８３】
保湿成分は上記の１種又は２種以上を配合してもよい。その配合量は特に限定されず、化粧料組成物の種類によって異なるが、概ね化粧料組成物全量に対して０．００１〜３０質量％が好ましく、０．０１〜２０質量％がより好ましい。
【００８４】
酵素としては、例えば、アシルコエンチームＡデサチュラーゼ、アミノペプチダーゼ、アミログルコシダーゼ、オキシドレダクターゼ、カタラーゼ、グルコースオキシダーゼ、スーパーオキシドジスムターゼ、ダイズペルオキシダーゼ、デキストラン固定化プロテアーゼ、トランスグルタミナーゼ、ヒアルロニダーゼ、プロテアーゼ、ヘスペリジナーゼ、ラクトペルオキシダーゼ、リパーゼ等が挙げられる。
【００８５】
酵素は上記の１種又は２種以上を配合してもよい。その配合量は特に限定されず、化粧料組成物の種類によって異なるが、概ね化粧料組成物全量に対して０．００１〜１０質量％が好ましく、０．０１〜５質量％がより好ましい。
【００８６】
香料は、化粧料組成物に香気、香りを付与するため、あるいは不快臭をマスクするために配合される。化粧料組成物に一般的に配合される香料であれば特に限定されるものではなく、前記の生理活性成分等に例示した各種抽出物を含め、種々の植物の花、種子、葉、根等から抽出した香料、海藻類から抽出した香料、動物の各部位または分泌物から抽出した香料（例えば、じゃこう、マッコウ）、人工的に合成した香料（例えば、メントール、ムスク、酢酸エステル、バニラ）が例示される。
【００８７】
香料は上記の１種又は２種以上を配合してもよい。その配合量は特に限定されず、化粧料組成物の種類によって異なるが、概ね化粧料組成物全量に対して０．００１〜１０質量％が好ましく、０．０１〜３質量％がより好ましい。
【００８８】
本発明の化粧料組成物は、例えば、シャンプー、ドライシャンプー、リンス一体型シャンプー、ヘアリンス、ヘアコンディショナー、ヘアパック、ヘアトリートメント、ヘアトニック、ポマード、チック、ヘアクリーム、ヘアワックス、ヘアジェル、ヘアフォーム、ヘアムース、ヘアミスト、ヘアローション、パーマネントウエーブ剤、染毛剤等のヘアケア化粧料；洗顔料、洗顔クリーム、洗顔フォーム、クレンジングクリーム、クレンジングフォーム、ハンドソープ、ボディーソープ、ボディローション、サンスクリーン剤、化粧水、乳液、美容液、フェイスクリーム、コールドクリーム、フェイスパック、制汗剤、シェービングソープ、シェービングフォーム、シェービングオイル、シェービングローション、、アフターシェーブローション、アフターサンローション、等のスキンケア化粧料；ファンデーション、コンシーラー、フェイスパウダー、ほほ紅、マスカラ、アイライナー、アイシャドウ等のメイクアップ化粧料；リップクリーム、入浴剤等に使用でき、中でも、シャンプー、ヘアリンス、リンス一体型シャンプー、ヘアコンディショナー、ヘアパック、ヘアトリートメント、ヘアクリーム、ヘアワックス、ヘアジェル、ヘアフォーム、ヘアムース、ヘアミスト、ヘアローション、ヘアリキッド、マスカラ、ファンデーション、アイライナー、アイシャドウ、ボディソープ、ハンドソープ、洗顔料、化粧水、美容液、フェイスパック、クレンジングクリーム、リップクリーム、シェービングローション、アフターサンローション、入浴剤、フェイスクリームに好ましく使用できる。
【００８９】
次に、本発明の化粧料組成物の種類別の配合例を示す。なお、下記の処方例の成分のうち、「カチオン化βグルカン」が本発明のカチオン化βグルカンである。また、配合量の単位は質量％であり、配合量が「残部」となっているものは、配合量の合計が１００質量％になるようにその配合量を調整していることを意味する。
【００９０】
まず、シャンプーの処方例として、下記の処方例１〜５０を示す。
【００９１】
【表１】
0005896799.tif 000016
【００９２】
【表２】
0005896799.tif 000017
【００９３】
【表３】
0005896799.tif 000018
【００９４】
【表４】
0005896799.tif 000019
【００９５】
【表５】
0005896799.tif 000020
【００９６】
【表６】
0005896799.tif 000021
【００９７】
【表７】
0005896799.tif 000022
【００９８】
【表８】
0005896799.tif 000023
【００９９】
【表９】
0005896799.tif 000024
【０１００】
【表１０】
0005896799.tif 000025
【０１０１】
【表１１】
0005896799.tif 000026
【０１０２】
【表１２】
0005896799.tif 000027
【０１０３】
【表１３】
0005896799.tif 000028
【０１０４】
【表１４】
0005896799.tif 000029
【０１０５】
【表１５】
0005896799.tif 000030
【０１０６】
【表１６】
0005896799.tif 000031
【０１０７】
【表１７】
0005896799.tif 000032
【０１０８】
【表１８】
0005896799.tif 000033
【０１０９】
【表１９】
0005896799.tif 000034
【０１１０】
【表２０】
0005896799.tif 000035
【０１１１】
ヘアリンスの処方例として、下記の処方例５１〜５６を示す。
【表２１】
0005896799.tif 000036
【０１１２】
【表２２】
0005896799.tif 000037
【０１１３】
【表２３】
0005896799.tif 000038
【０１１４】
【表２４】
0005896799.tif 000039
【０１１５】
【表２５】
0005896799.tif 000040
【０１１６】
リンス一体型シャンプーの処方例として、下記の処方例５７〜５８を示す。
【表２６】
0005896799.tif 000041
【０１１７】
ヘアコンディショナーの処方例として、下記の処方例５９〜６１を示す。
【表２７】
0005896799.tif 000042
【０１１８】
【表２８】
0005896799.tif 000043
【０１１９】
ヘアパックの処方例として、下記の処方例６２〜６３を示す。
【表２９】
0005896799.tif 000044
【０１２０】
ヘアトリートメントの処方例として、下記の処方例６４を示す。
【表３０】
0005896799.tif 000045
【０１２１】
ヘアクリームの処方例として、下記の処方例６５〜６７を示す。
【表３１】
0005896799.tif 000046
【０１２２】
【表３２】
0005896799.tif 000047
【０１２３】
ヘアワックスの処方例として、下記の処方例６８〜７０を示す。
【表３３】
0005896799.tif 000048
【０１２４】
【表３４】
0005896799.tif 000049
【０１２５】
ヘアジェルの処方例として、下記の処方例７１〜７３を示す。
【表３５】
0005896799.tif 000050
【０１２６】
【表３６】
0005896799.tif 000051
【０１２７】
ヘアフォームの処方例として、下記の処方例７４〜７５を示す。
【表３７】
0005896799.tif 000052
【０１２８】
ヘアムースの処方例として、下記の処方例７６を示す。
【表３８】
0005896799.tif 000053
【０１２９】
ヘアミストの処方例として、下記の処方例７７を示す。
【表３９】
0005896799.tif 000054
【０１３０】
ヘアローションの処方例として、下記の処方例７８〜７９を示す。
【表４０】
0005896799.tif 000055
【０１３１】
ヘアリキッドの処方例として、下記の処方例８０を示す。
【表４１】
0005896799.tif 000056
【０１３２】
マスカラの処方例として、下記の処方例８１〜８８を示す。
【表４２】
0005896799.tif 000057
【０１３３】
【表４３】
0005896799.tif 000058
【０１３４】
【表４４】
0005896799.tif 000059
【０１３５】
【表４５】
0005896799.tif 000060
【０１３６】
ファンデーションの処方例として、下記の処方例８９〜９９を示す。
【表４６】
0005896799.tif 000061
【０１３７】
【表４７】
0005896799.tif 000062
【０１３８】
【表４８】
0005896799.tif 000063
【０１３９】
【表４９】
0005896799.tif 000064
【０１４０】
【表５０】
0005896799.tif 000065
【０１４１】
アイシャドウの処方例として、下記の処方例１０３〜１１０を示す。
【表５１】
0005896799.tif 000066
【０１４２】
【表５２】
0005896799.tif 000067
【０１４３】
【表５３】
0005896799.tif 000068
【０１４４】
ボディーソープの処方例として、下記の処方例１１１〜１１２を示す。
【表５４】
0005896799.tif 000069
【０１４５】
【表５５】
0005896799.tif 000070
【０１４６】
【表５６】
0005896799.tif 000071
【０１４７】
【表５７】
0005896799.tif 000072
【０１４８】
【表５８】
0005896799.tif 000073
【０１４９】
【表５９】
0005896799.tif 000074
【０１５０】
【表６０】
0005896799.tif 000075
【０１５１】
【表６１】
0005896799.tif 000076
【０１５２】
【表６２】
0005896799.tif 000077
【０１５３】
【表６３】
0005896799.tif 000078
【０１５４】
美白化粧水の処方例として、下記の処方例１３５〜１３６を示す。
【表６４】
0005896799.tif 000079
【０１５５】
美容液の処方例として、下記の処方例１３７〜１４５を示す。
【表６５】
0005896799.tif 000080
【０１５６】
【表６６】
0005896799.tif 000081
【０１５７】
【表６７】
0005896799.tif 000082
【０１５８】
乳液の処方例として、下記の処方例１４６〜１５９を示す。
【表６８】
0005896799.tif 000083
【０１５９】
【表６９】
0005896799.tif 000084
【０１６０】
【表７０】
0005896799.tif 000085
【０１６１】
【表７１】
0005896799.tif 000086
【０１６２】
【表７２】
0005896799.tif 000087
【０１６３】
【表７３】
0005896799.tif 000088
【０１６４】
【表７４】
0005896799.tif 000089
【０１６５】
クレンジングクリームの処方例として、下記の処方例１６４〜１６６を示す。
【表７５】
0005896799.tif 000090
【０１６６】
【表７６】
0005896799.tif 000091
【０１６７】
ファンデーションの処方例として、下記の処方例１６７〜１６８を示す。
【表７７】
0005896799.tif 000092
【０１６８】
リップクリームの処方例として、下記の処方例１６９〜１７０を示す。
【表７８】
0005896799.tif 000093
【０１６９】
シェービングローションの処方例として、下記の処方例１７１〜１７２を示す。
【表７９】
0005896799.tif 000094
【０１７０】
アフターサンローションの処方例として、下記の処方例１７３〜１８４を示す。
【表８０】
0005896799.tif 000095
【０１７１】
入浴剤の処方例として、下記の処方例１７５〜１７６を示す。
【表８１】
0005896799.tif 000096
【０１７２】
フェイスクリームの処方例として、下記の処方例１７７〜１８７を示す。
【表８２】
0005896799.tif 000097
【０１７３】
【表８３】
0005896799.tif 000098
【０１７４】
【表８４】
0005896799.tif 000099
【０１７５】
【表８５】
0005896799.tif 000100
【０１７６】
ハンドソープの処方例として、下記の処方例１８８〜１８９を示す。
【表８６】
0005896799.tif 000101
【０１７７】
【表８７】
0005896799.tif 000102
【０１７８】
本発明のカチオン化βグルカンのうち、本発明のカチオン化β−１，３−１，６−グルカン、即ち、前記一般式（１ａ）で表されるユニット及び（４ａ）で表されるユニットからなるβグルカンの、一部の水酸基の水素原子が一般式（５）で表される基で置換されたカチオン化βグルカンは、抗菌性に優れており、特に、黄色ぶどう球菌に対して、高い抗菌性を示す。本発明のカチオン化β−１，３−１，６−グルカンは、化粧料組成物に抗菌性を付与することができ、毛髪や皮膚に付着して効果を発揮することができることから、シャンプー、ドライシャンプー、リンス一体型シャンプー、洗顔料、洗顔クリーム、洗顔フォーム、クレンジングクリーム、クレンジングフォーム、ハンドソープ、ボディーソープ等の洗浄性を有する化粧料組成物に使用した場合でも、毛髪や皮膚に抗菌性を付与することが可能である。
【０１７９】
また、本発明のカチオン化β−１，３−１，６−グルカンは、抗菌、殺菌、消毒、防黴等の目的で、公知の抗菌剤、消毒剤、防黴剤と同様に使用することができ、化粧料組成物以外にも、例えば、医療器具類や患部の消毒洗浄を目的とする医療用洗浄剤、食器等を殺菌する家庭用洗浄剤、食品工業用洗浄剤、衣料用柔軟剤、ウェットティッシュ、便座クリーナー等の用途に好適に使用できる。
【実施例】
【０１８０】
以下、実施例により本発明を更に説明するが、本発明はこれらの実施例によって限定されるものではない。尚、特に限定のない限り、実施例中の「部」や「％」は質量基準によるものである。
〔カチオン化βグルカン１の製造〕
攪拌機を備えた２００ｍｌのフラスコに、水を２５ｇ、イソプロピルアルコール１２５ｍｌ、黒酵母菌（アウレオバシジウム属）による発酵培養液から抽出したβ−１，３−１，６−グルカン［質量平均分子量３１００００、一般式（４ａ）で表されるユニットに対する（１ａ）で表されるユニットのモル比は１．３］の粉末を２．２６ｇ、触媒として水酸化ナトリウム５ｇ、カチオン化剤としてグリシジルトリメチルアンモニウムクロライドを２．１２ｇ（１０ｍｍｏｌ）を添加し、２５℃で３０分間攪拌した。その後、系内の温度を５０℃に昇温し、５０℃で５時間撹拌を続け反応を行った。反応終了後、酢酸で系内を中和した後に攪拌を停止させ、そのまま自然冷却しながら３時間放置すると、カチオン化反応により得られたカチオン化βグルカンが系内に沈殿した。この沈殿物をろ過し、イソプロピルアルコールで洗浄した後、乾燥してカチオン化βグルカン１の粉末を得た。カチオン化βグルカン１のカチオン化度は０．４７であった。
【０１８１】
なお、使用したβ−１，３−１，６−グルカンは水分を含んでおり、２２６ｇでグルコースユニット１ｍｏｌ、２．２６ｇでグルコースユニット１０ｍｍｏｌに相当する。β−１，３−１，６−グルカンの純度は、カールフィッシャー法による水分測定、及び下記のフェノール−硫酸法によるグルコースユニット含量の測定により決定した。カチオン化度は、下記のフェノール−硫酸法により求めた測定サンプル中のグルコースユニットのモル濃度と、下記のコロイド滴定法の測定により求めた測定サンプル中のカチオン性基のモル濃度より求めた。
【０１８２】
＜単糖ユニット含量の測定方法＞
糖の定量法として一般的なフェノール硫酸法（Methods in Carbohydrate Chemistry vol.1,pp.380-394に準拠）により、サンプル中の単糖ユニット含量を求めた。なお、検量線のための標準物質はグルコースを用いた。
【０１８３】
＜カチオン性基含量の測定方法＞
指示薬として０．１質量％トルイジンブルー水溶液を用い、ポリビニル硫酸カリウム（Ｎ／４００）で滴定し、滴定量からサンプル中のカチオン性基含量を求めた。
【０１８４】
＜カチオン化度の算出＞
カチオン化度＝サンプル中のカチオン性基含量／サンプル中の単糖ユニット含量
【０１８５】
〔カチオン化βグルカン２〜４の製造〕
グリシジルトリメチルアンモニウムクロライドの使用量を変更した以外は、カチオン化βグルカン１の製造例と同様の操作を行い、カチオン化βグルカン２〜４を得た。下記の表８６に、カチオン化βグルカン２〜４の質量平均分子量とカチオン化度を示す。なお、カチオン化度は上記の方法により算出した。
【０１８６】
〔カチオン化βグルカン５の製造〕
β−１，３−１，６−グルカンの代わりに、β−１，３−グルカン（質量平均分子量３２００００）を使用した以外は、カチオン化βグルカン１の製造例と同様の操作を行い、カチオン化βグルカン５を得た。下記の表８６に、カチオン化βグルカン５の質量平均分子量とカチオン化度を示す。
【０１８７】
〔比較例の試験ポリマー〕
比較例として、カチオン化ヒアルロン酸、カチオン化セルロース、カチオン化βグアーガム、β−１，３−１，６−グルカンを用いた。それぞれの質量平均分子量とカチオン化度を下記の表８６に示す。なお、カチオン化ヒアルロン酸は上記方法によるカチオン性基含量の測定が困難であることから、サンプルの窒素含量を測定し、窒素含量と単糖ユニット（グルクロン酸ユニットとＮ−アセテルグルコサミンユニット）の含量から、カチオン化度を算出した。
【０１８８】
【表８８】
0005896799.tif 000103
【０１８９】
実施例１〜５及び比較例１〜４の試験ポリマーについて、毛髪を用いて、下記の方法にて、帯電性試験、静電気発生試験、摩擦係数測定を行った。結果を表８９に示す。
【０１９０】
〔試験毛髪の調製〕
以下の工程により試験毛髪を調製した。なお、洗浄工程のみの試験毛髪を健常毛、ダメージ工程を５回繰り返した試験毛髪をダメージ毛とした。
＜洗浄工程＞
長さ１０ｃｍの同一人物の毛髪１ｇを、２．５質量％のノニオン界面活性剤（ポリオキシエチレンラウリルエーテル硫酸ナトリウム）水溶液２００ｍｌに入れて４０℃で３０分間攪拌することにより洗浄し、流水で２分間すすいだ後、ドライヤーで乾燥する。
＜ダメージ工程＞
健常毛１ｇを、４．５質量％過酸化水素水溶液と２．５質量％アンモニア水溶液との等量を混合物２００ｍｌに入れて２５℃で３０分間攪拌することにより、毛髪にダメージを与えた後、流水で２分間すすぎドライヤーで乾燥させる。
＜吸着工程＞
ダメージ毛１ｇを、０．１質量％試験ポリマー２００ｍｌに４０℃で２０分間浸漬し、流水で２分間すすいだ後、ドライヤーで乾燥する。
【０１９１】
［帯電性試験］
静電気測定器（シムコジャパン社製、型式ＦＭＸ００３）を使用して、温度２２℃、湿度２５％の条件で試験毛髪の表面電位を測定した。測定は試験毛髪の違う部分を１０回測定し、その平均値を表面電位とした。通常、健常毛は正に、ダメージ毛は負に帯電することが知られており、ダメージ毛へのカチオン性物質の吸着量が多いほど正側に帯電する。即ち、吸着量が多いほどトリートメント効果が高いことを示す。
【０１９２】
［静電気発生試験］
温度２２℃、湿度２５％の条件下で、試験毛髪を、ポリエチレンテレフタレート樹脂製シート（ＰＥＴシート）に３０回摩擦させ、試験毛髪に静電気を発生させた後、静電気測定器（シムコジャパン社製、ＦＭＸ００３）を使用して、温度２２℃、湿度２５％の条件で試験毛髪の静電気量を測定した。静電気量の少ないものほど、ブラッシング等の外的な影響による静電気の発生量が少なく、ブラッシング等による髪のまとまりがよくセットしやすいことを示す。
【０１９３】
［摩擦係数測定］
摩擦感テスター（カトーテック製、型式ＫＥＳ−ＳＥ）を使用して、温度２２℃、湿度２５％の条件で試験毛髪の平均摩擦係数を測定した。なお、試験にはガラス板に試験毛髪を２０本貼り付けたものを用い、加重２５ｇ、移動速度１ｍｍ／秒、センサーには指紋タイプセンサー（金属製）を用いた。平均摩擦係数が低いほど、毛髪の手触りや指通りがよいことを示す。
【０１９４】
【表８９】
0005896799.tif 000104
【０１９５】
表８９の結果から、本発明のカチオン化βグルカンは毛髪に対して、高いコンディショニング効果を有することがわかる。即ち、表８９では、本発明のカチオン化βグルカンはいずれも、帯電性試験において正に帯電して下り、ダメージ毛への吸着量が多く、トリートメント効果が高いことがわかる。を示している。静電気発生試験からは、本発明のカチオン化βグルカンがいずれも、静電気の発生量が少なく、シャンプーやリンスに配合することにより、ブラッシング等による髪のまとまりがよくセットしやすくなることをしている。摩擦係数測定の結果からは、本発明のカチオン化βグルカンがダメージを受けた毛髪の手触りや指通りを改善する効果が大きいがよいことを示す。また、これらの効果は、特に本発明のカチオン化β−１，３−１，６−グルカンにおいて顕著である。
【０１９６】
化粧水での評価
前記処方例１２２に基づき、下記表９０の処方で配合した化粧水を用いて、専門パネリスト（１０名）による実使用により、使用後のしっとり感及びふっくら感（肌に弾力がありみずみずしい感じ）について官能評価を行った。評価は下記評価点基準による１０名の平均点を算出して判定した。結果を表９２に示す。
【０１９７】
【表９０】
0005896799.tif 000105
【０１９８】
（しっとり感の評価点基準）
５点：しっとり感がある
４点：ややしっとり感がある
３点：普通
２点：ややしっとり感がない
１点：しっとり感がない
（ふっくら感の評価点基準）
５点：ふっくら感がある
４点：ややふっくら感がある
３点：普通
２点：ややふっくら感がない
１点：ふっくら感がない
【０１９９】
洗顔料での評価
前記処方例１２０に基づき、下記表９１の処方で配合した洗顔料を用いて、専門パネリスト（１０名）による実使用により、使用後のしっとり感及びふっくら感（肌に弾力がありみずみずしい感じ）について官能評価を行った。評価は前記化粧水での評価と同じ評価基準による１０名の平均点を算出して判定した。
【０２００】
【表９１】
0005896799.tif 000106
【０２０１】
【表９２】
0005896799.tif 000107
【０２０２】
表９２の結果から、本発明のカチオン化βグルカンは皮膚に対して、高いコンディショニング効果を有することがわかる。即ち、表９２では、本発明のカチオン化βグルカンを配合した化粧水及び洗顔料はいずれも、使用後の肌のしっとり感やふっくら感に優れており、これらの効果は特にカチオン化β−１，３−１，６−グルカンにおいて顕著である。
【０２０３】
上記実施例１〜５若しくは比較例１〜４の試験ポリマー並びに化粧料組成物の抗菌剤として一般的なフェノキシエタノールを用いて下記の方法で抗菌性を測定した。結果を表９３に示す。
［抗菌性試験方法］
試験サンプルを滅菌水で希釈し、試験サンプルの濃度が１０２４０μｇ／ｍｌの試験液を調整した。以下、ブイヨン培地（ミューラーヒントン培地）により試験液の２倍希釈を繰り返し、試験サンプルの濃度が１０〜１０２４０μｇ／ｍｌの計１１段階の濃度の試験液を調整した。ブイヨン培地で前培養した菌液を用いて、１０７レベルに調整した菌液を、０．０１ｍｌマイクロプレートに入れ、各種濃度の試験液を０．２ｍｌ添加してよく攪拌した。この混合溶液を３７℃で２４時間培養し、培養終了後、マイクロプレートの濁度を測定し、被験菌の生育を阻害した最低濃度を最小発育濃度（ＭＩＣ）とした。最小発育濃度が低いほど、抗菌性が高いことを示す。なお、試験には黄色ブドウ球菌（Staphylococcus aureus NBRC12732）を使用した。
【０２０４】
【表９３】
0005896799.tif 000108
【０２０５】
表９３の結果から、本発明のカチオン化βグルカンのうち、本発明のカチオン化β−１，３−１，６−グルカンが、高い抗菌性を有することがわかる。
【産業上の利用可能性】
【０２０６】
本発明のカチオン化βグルカンは、コンディショニング効果が高いことから、シャンプー、リンス、ボデイーソープ、洗顔剤等の身体や毛髪の洗浄や処理を目的とする化粧料組成物に好適に使用することができる。更に、本発明のカチオン化β−１，３−１，６−グルカンは高い抗菌性を有することから、医療器具類や患部の消毒洗浄を目的とする医療用洗浄剤、食器等を殺菌する家庭用洗浄剤、食品工業用洗浄剤、衣料用柔軟剤、ウェットティッシュ、便座クリーナー等の用途に好適に使用できる。
【図１】
0005896799.tif 000112
【図２】
0005896799.tif 000113
【図３】
0005896799.tif 000114
【図４】
0005896799.tif 000115
【図５】
0005896799.tif 000116
【図６】
0005896799.tif 000117